【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
ネットワークを介して外部機器と接続され、該外部機器からの情報を受信する受信手段と、画像情報を入力する入力手段と、前記画像情報の出力条件情報を入力する出力条件入力手段と、前記受信手段により受信した情報、及び前記入力手段及び前記出力条件入力手段により入力された各情報に基づいて画像を形成して出力する出力手段と、操作入力のための操作部が一体的に構成された表示部と、を備えた画像形成装置において、
前記操作部における操作の有無を監視し、当該操作の有無に応じて、前記表示部に操作画面及び待機画面を切り替えて表示する表示制御手段と、
前記操作画面または前記待機画面上に動作情報をオーバーレイ表示し、前記受信手段による情報の受信内容、及び前記入力手段及び出力条件入力手段から入力される情報に応じて前記オーバーレイ表示された動作情報を変更する動作情報表示手段と、
を備えたことを特徴とする画像形成装置。
【請求項２】
前記表示制御手段は、前記表示部に操作画面が表示された状態において、前記操作部における操作が所定時間無い場合に、前記操作画面から待機画面に切り替えて表示することを特徴とする請求項１記載の画像形成装置。
【請求項３】
前記表示制御手段は、前記待機画面にスクリーンセーバー又は前記受信手段により受信された表示情報を表示することを特徴とする請求項１又は２記載の画像形成装置。
【請求項４】
ネットワークを介して外部機器と接続され、該外部機器からの情報を受信する受信手段と、画像情報を入力する入力手段と、前記画像情報の出力条件情報を入力する出力条件入力手段と、前記受信手段により受信した情報、及び前記入力手段及び前記出力条件入力手段により入力された各情報に基づいて画像を形成して出力する出力手段と、操作入力のための操作部が一体的に構成された表示部と、を備えた画像形成装置を制御するためのコンピュータに、
前記操作部における操作の有無を監視し、当該操作の有無に応じて、前記表示部に操作画面及び待機画面を切り替えて表示する機能と、
前記操作画面または前記待機画面上に動作情報をオーバーレイ表示し、前記受信手段による情報の受信内容、及び前記入力手段及び出力条件入力手段から入力される情報に応じて前記オーバーレイ表示された動作情報を変更する機能と、
を実現させるためのプログラム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
【課題を解決するための手段】
上記課題を解決するため、請求項１記載の発明は、ネットワークを介して外部機器と接続され、該外部機器からの情報を受信する受信手段と、画像情報を入力する入力手段と、前記画像情報の出力条件情報を入力する出力条件入力手段と、前記受信手段により受信した情報、及び前記入力手段及び前記出力条件入力手段により入力された各情報に基づいて画像を形成して出力する出力手段と、操作入力のための操作部が一体的に構成された表示部と、を備えた画像形成装置において、前記操作部における操作の有無を監視し、当該操作の有無に応じて、前記表示部に操作画面及び待機画面を切り替えて表示する表示制御手段と、前記操作画面または前記待機画面上に動作情報をオーバーレイ表示し、前記受信手段による情報の受信内容、及び前記入力手段及び出力条件入力手段から入力される情報に応じて前記オーバーレイ表示された動作情報を変更する動作情報表示手段と、を備えたことを特徴としている。
【手続補正９】
【補正対象書類名】明細書
【補正対象項目名】００１４
【補正方法】変更
【補正の内容】
【００１４】
請求項１記載の発明によれば、操作部への操作の有無によって、表示部を操作画面から待機画面に切り替える。また、各機能の動作状況を示す動作情報を画面上にオーバーレイ表示し、ネットワークを介して接続された外部機器からの受信内容、及びユーザによる入力情報に応じて動作状況が変化した際に、動作状況に応じて動作情報を変化して表示させる。従って、待機画面表示中に動作状況が変化する度に待機画面を再度操作画面へ切り替えることなく、動作情報をユーザに通知することができる。
【手続補正１０】
【補正対象書類名】明細書
【補正対象項目名】００１５
【補正方法】変更
【補正の内容】
【００１５】
請求項２記載の発明は、請求項１記載の発明において、前記表示制御手段は、前記表示部に操作画面が表示された状態において、前記操作部における操作が所定時間無い場合に、前記操作画面から待機画面に切り替えて表示することを特徴としている。
【手続補正１１】
【補正対象書類名】明細書
【補正対象項目名】００１６
【補正方法】変更
【補正の内容】
【００１６】
請求項２記載の発明によれば、請求項１記載の発明において、操作画面が表示された状態において操作部における操作が所定時間無い場合に、待機画面に切り替える。従って、操作画面を表示する必要がない場合には、表示部に、待機画面として任意の表示を行うことが可能となる。
【手続補正１２】
【補正対象書類名】明細書
【補正対象項目名】００１７
【補正方法】変更
【補正の内容】
【００１７】
請求項３記載の発明は、請求項１又は２記載の発明において、前記表示制御手段は、前記待機画面にスクリーンセーバー又は前記受信手段により受信された表示情報を表示することを特徴としている。
【手続補正１３】
【補正対象書類名】明細書
【補正対象項目名】００１８
【補正方法】変更
【補正の内容】
【００１８】
請求項３記載の発明によれば、請求項１又は２記載の発明において、待機画面にスクリーンセーバー又は外部機器から受信した表示情報を表示する。従って、待機画面としてスクリーンセーバーを表示することによって、画面上の焼き付きを防止することができ、外部機器から受信した、例えば、広告やニュース等の表示情報を表示することによって、長期の出力動作等により手持ち無沙汰になったユーザを楽しませることができる。
【手続補正１４】
【補正対象書類名】明細書
【補正対象項目名】００８１
【補正方法】削除
【補正の内容】
【手続補正１５】
【補正対象書類名】明細書
【補正対象項目名】００８２
【補正方法】削除
【補正の内容】
【手続補正１６】
【補正対象書類名】明細書
【補正対象項目名】００８３
【補正方法】削除
【補正の内容】
【手続補正１７】
【補正対象書類名】明細書
【補正対象項目名】００８４
【補正方法】変更
【補正の内容】
【００８４】
【発明の効果】
請求項１記載の発明の画像形成装置及び請求項４記載のプログラムによれば、操作部への操作の有無によって、表示部を操作画面から待機画面に切り替える。また、各機能の動作状況を示す動作情報を画面上にオーバーレイ表示し、ネットワークを介して接続された外部機器からの受信内容、及びユーザによる入力情報に応じて動作状況が変化した際に、動作状況に応じて動作情報を変化して表示させる。従って、待機画面表示中に動作状況が変化する度に待機画面を再度操作画面へ切り替えることなく、動作情報をユーザに通知することができる。
【手続補正１８】
【補正対象書類名】明細書
【補正対象項目名】００８５
【補正方法】変更
【補正の内容】
【００８５】
請求項２記載の発明によれば、請求項１記載の発明において、操作画面が表示された状態において操作部における操作が所定時間無い場合に、待機画面に切り替える。従って、操作画面を表示する必要がない場合には、表示部に、待機画面として任意の表示を行うことが可能となる。
【手続補正１９】
【補正対象書類名】明細書
【補正対象項目名】００８６
【補正方法】変更
【補正の内容】
【００８６】
請求項３記載の発明によれば、請求項１又は２記載の発明において、待機画面にスクリーンセーバー又は外部機器から受信した表示情報を表示する。従って、待機画面としてスクリーンセーバーを表示することによって、画面上の焼き付きを防止することができ、外部機器から受信した、例えば、広告やニュース等の表示情報を表示することによって、長期の出力動作等により手持ち無沙汰になったユーザを楽しませることができる。